(57)【要約】【課題】室内環境を好適に確保することができる建物のダブルスキン構造を提供する。【解決手段】建物１０の外壁部に設けられ、室内１３側に配された内側面材２１と、内側面材の屋外１４側に間隔をあけて配された外側面材２２と、を備え、内側面材と外側面材との間の中空層２３を区画するように水平方向に延在する水平区画部３０と、上下方向に隣り合う水平区画部に囲まれた中空層に室内の空調空気を供給する空調空気供給部２５と、を備え、水平区画部は、屋外と中空層とを連通する屋外換気部３１と、屋外換気部を開閉する開閉機構３５と、を備えている。【選択図】図２
2019049119.tif 000002
【特許請求の範囲】
【請求項１】
建物の外壁部に設けられ、室内側に配された内側面材と、前記内側面材の屋外側に間隔をあけて配された外側面材と、を備えた建物のダブルスキン構造において、
前記内側面材と前記外側面材との間の中空層を区画するように水平方向に延在する水平区画部と、
上下方向に隣り合う前記水平区画部に囲まれた前記中空層に室内の空調空気を供給する空調空気供給部と、を備え、
前記水平区画部は、
屋外と前記中空層とを連通する屋外換気部と、
前記屋外換気部を開閉する開閉機構と、を備えていることを特徴とする建物のダブルスキン構造。
【請求項２】
前記外側面材が単板のフロートガラスであり、前記内側面材がフロートガラスからなる複層ガラスで構成される請求項１に記載の建物のダブルスキン構造。
【請求項３】
前記水平区画部は、
該水平区画部に対して上階側の前記中空層と換気可能に形成された上階用水平区画部と、
該水平区画部に対して下階側の前記中空層と換気可能に形成された下階用水平区画部と、を有し、
同一階層において前記上階用水平区画部と、前記下階用水平区画部とが配されている請求項１または請求項２に記載の建物のダブルスキン構造。
【請求項４】
前記中空層には、上下方向に延在する縦材が水平方向に間隔を空けて複数設けられ、
水平方向に隣り合う一対の縦材の間に一の前記水平区画部が設けられ、
同一階層において前記上階用水平区画部および前記下階用水平区画部が交互に配されている請求項３に記載の建物のダブルスキン構造。
【請求項５】
前記一対の縦材の間に配される前記水平区画部は、上下方向に前記上階用水平区画部および前記下階用水平区画部が交互に配されている請求項４に記載の建物のダブルスキン構造。
【発明の詳細な説明】
【技術分野】
【０００１】
本発明は、建物のダブルスキン構造に関する。
【背景技術】
【０００２】
従来、室内側に配された内側面材と、内側面材の屋外側に間隔をあけて配された外側面材と、を備えた建物のダブルスキン構造が知られている。従来のダブルスキン構造では、外側面材をビジョン部とスパンドレル部とを一枚のガラスで配置し、当該外側面材にフロートガラスを用い、内側面材のビジョン部分にはLow-Eガラスを用いた複層ガラスなどで外気負荷を低減（断熱）したりしていた（特許文献１参照）。
【先行技術文献】
【特許文献】
【０００３】
【特許文献１】特開２０１５−２１４７８８号公報
【発明の概要】
【発明が解決しようとする課題】
【０００４】
しかしながら従来のダブルスキン構造では、上述したように外気負荷を低減するため（ペリメータ部分の室内環境の確保のため）に、内側面材にLow-Eガラスを用いていたが、製品コストが高いなどの問題点があった。
【０００５】
一方、ダブルスキン構造において、外側面材および内側面材を共にフロートガラスなどの断熱性能の低い面材を用いると、外気負荷を低減できずに室内環境（特に、ペリメータ部分）が影響し、冷房／暖房効率が低下してしまう虞があった。
このような背景から、近年では室内環境を好適に確保することができるダブルスキン構造の実現が望まれていた。
【０００６】
そこで本発明は、上記事情を鑑みてなされたものであり、室内環境を好適に確保することができる建物のダブルスキン構造を提供することを目的とする。
【課題を解決するための手段】
【０００７】
本発明の建物のダブルスキン構造は、建物の外壁部に設けられ、室内側に配された内側面材と、前記内側面材の屋外側に間隔をあけて配された外側面材と、を備えた建物のダブルスキン構造において、前記内側面材と前記外側面材との間の中空層を区画するように水平方向に延在する水平区画部と、上下方向に隣り合う前記水平区画部に囲まれた前記中空層に室内の空調空気を供給する空調空気供給部と、を備え、前記水平区画部は、屋外と前記中空層とを連通する屋外換気部と、前記屋外換気部を開閉する開閉機構と、を備えていることを特徴としている。
【０００８】
本発明の建物のダブルスキン構造によれば、内側面材と外側面材との間の中空層に室内の空調空気を供給する空調空気供給部を備え、中空層を区画する水平区画部に屋外換気部と、その開閉機構とを備えている。
そのため開閉機構により中空層と屋外とを連通して、空調空気供給部により室内の空調空気を中空層に供給すれば、中空層内を空調空気により換気することができ、中空層内を空調空気の温度に応じた温度に保持できる。
【０００９】
これにより室内（ペリメータ部分）と中空層との温度差を小さくしたり、無くしたりすることができ、ペリメータ部分の室内環境を好適に確保することができる。また、室内の空調空気を中空層を介して所定量外部に排出することができるため、エネルギー効率を上げて効果的に空調空気を外部に排出させることができる。
【００１０】
その際、日差しや外気温度などにより昇温したり降温したりした中空層内の空気を空調空気に置換できる。しかも中空層を上下で区画する水平区画部に屋外換気部を備えているため、中空層内で昇温して上昇したり降温して下降したりして水平区画部付近に滞留した空気を、効率よく屋外に排出させることができる。
【００１１】
また、中空層内に供給された空調空気は、屋外換気部を通して屋外に排出されるため、中空層内の温度調整後の空気を空調設備に循環して空調を行う必要がない。しかも室内の二酸化炭素濃度を所定値以下に保つために空調空気の一部を屋外に排出する必要がある。そのため、その空調空気を空調空気供給部から中空層に供給して屋外に排出すればよく、中空層を介して効果的に空調空気を外部に排出させることができる。
【００１２】
その結果、内側面材を介して中空層に隣接するペリメータ部分の室内環境を好適に確保することができる。これにより室内環境を保つために室内から外部に排出される空調空気の熱を利用して、効率よく室内温度を安定に保つことが可能である。
したがって、本発明によれば、室内環境を好適に確保しつつ、効果的に空調空気を外部に排出させることができる建物のダブルスキン構造を提供することができる。
【００１３】
本発明の建物のダブルスキン構造では、前記外側面材が単板のフロートガラスであり、前記内側面材がフロートガラスからなる複層ガラスで構成されていてもよい。
【００１４】
このような構成によれば、面材の製品コストを低減することができるとともに、反射して見える像に歪みが生じることを抑制することができる。
【００１５】
本発明の建物のダブルスキン構造では、前記水平区画部は、該水平区画部に対して上階側の前記中空層と換気可能に形成された上階用水平区画部と、該水平区画部に対して下階側の前記中空層と換気可能に形成された下階用水平区画部と、を有し、同一階層において前記上階用水平区画部と、前記下階用水平区画部とが配されていてもよい。
【００１６】
このような構成によれば、水平区画部に対して上階側の中空層と換気可能に形成された上階用水平区画部と、水平区画部に対して下階側の中空層と換気可能に形成された下階用水平区画部と、が同一階層において配されている。そのため上階用水平区画部と下階用水平区画部とを設けることで、中空層内で昇温して上昇した空気を中空層の上階側から排気する場合でも、中空層内で降温して下降した空気を下階側から排気する場合でも、排気することができる。そのため暖房時でも冷房時でも効果的に空調空気を外部に排出させるこができる。
【００１７】
本発明の建物のダブルスキン構造では、前記中空層に、上下方向に延在する縦材が水平方向に間隔を空けて複数設けられ、水平方向に隣り合う一対の縦材の間に一の前記水平区画部が設けられ、同一階層において前記上階用水平区画部および前記下階用水平区画部が交互に配されていることを特徴としていてもよい。
このような構成によれば、上階用水平区画部と下階用水平区画部とがバランスよく配置されているため、効果的に中空層内に供給された空調空気を外部に排出させるこができる。
【００１８】
その場合、前記一対の縦材の間に配される前記水平区画部は、上下方向に前記上階用水平区画部および前記下階用水平区画部が交互に配されているのがよい。
このような構成によれば、中空層が上下方向に複数区画されていても、上階用水平区画部および下階用水平区画部が上下方向に交互に配されているため、中空層の上階側と下階側とに確実に略同等に設けることができる。これにより効果的に中空層内に供給された空調空気を外部に排出させることができる。
【発明の効果】
【００１９】
本発明によれば、室内環境を好適に確保しつつ、効果的に空調空気を外部に排出させることができる建物のダブルスキン構造を提供することができる。
【図面の簡単な説明】
【００２０】
【図１】本発明の実施形態に係るダブルスキン構造が構築された建物の部分正面図である。
【図２】図１のＡ−Ａ線に沿う断面図である。
【図３】図２のＢ−Ｂ線に沿う断面図である。
【図４】本発明の実施形態に係るダブルスキン構造の上階用水平区画部を示す縦断面図（図２のＣ部拡大図）である。
【図５】本発明の実施形態に係るダブルスキン構造の下階用水平区画部を示す縦断面図（図２のＤ部拡大図）である。
【図６】本発明の実施形態に係るダブルスキン構造の暖房運転時の動作を説明する図である。
【図７】本発明の実施形態に係るダブルスキン構造の冷房運転時の動作を説明する図である。
【図８】本発明の実施形態に係るダブルスキン構造の夏期及び中間期の空調設備の運転停止時における動作を説明する図である。
【図９】本発明の実施形態に係るダブルスキン構造の冬期の空調設備の運転停止時における動作を説明する図である。
【発明を実施するための形態】
【００２１】
以下、本発明の実施形態について図を用いて詳細に説明する。
図１は本実施形態のダブルスキン構造が構築された建物の部分正面図であり、図２は図１のＡ−Ａ線に沿う断面図であり、図３は図２のＢ−Ｂ線に沿う断面図であり、図４は上階用水平区画部を示す縦断面図、図５は下階用水平区画部を示す縦断面図である。
【００２２】
本実施形態の建物１０のダブルスキン構造１１は、図１乃至図３に示すように、建物１０の躯体１２の外壁部として構築されている。なお、ダブルスキン構造１１は、在来工法で施工されていてもよいし、カーテンウォール工法を用いて施工されていてもよい。
【００２３】
このダブルスキン構造１１は、室内１３側に配された内側面材２１と、内側面材２１の屋外１４側に間隔をあけて配された外側面材２２と、内側面材２１と外側面材２２との間に形成された中空層２３と、中空層２３を区画する水平区画部３０と、を備え、室内１３には空調設備（不図示）が備えられている。
【００２４】
内側面材２１は、建物１０の躯体１２に支持されたガラスパネルからなる。内側面材２１は、Low-E複層ガラスを用いてもよいが、単板ガラスやフロートガラスを用いることも可能である。本実施形態ではフロートガラス２枚からなる複層ガラスにより構成されている。
【００２５】
内側面材２１の上下方向の長さは、床スラブ１５と天井パネル１６まで連続した長さを有し、上端及び下端が床スラブ１５と天井パネル１６とにそれぞれ隙間無く接合されている。幅は適宜選択できるが、躯体１２の柱１７間に内側面材２１は複数配され（例えば、図３においては３枚）、左右に隣接する他の内側面材２１との間が隙間無く接続されている。
【００２６】
内側面材２１と上階１９Ａの床スラブ１５との間は閉塞パネル１８により外部から視認されないように閉塞されている。閉塞パネル１８には後述する空調設備の空調空気供給部２５に設けられたダクト２６の端部（吹出口）が開口している。
【００２７】
外側面材２２は、建物の躯体１２に支持されたガラスパネルからなる。外側面材２２は、Low-Eガラスや倍強化合わせガラスを用いてもよいが、本実施形態では、単板のフロートガラスを用いている。
【００２８】
外側面材２２は、略階高分の上下長さを有するものを使用している。上階１９Ａの外側面材２２との間と下階１９Ｂの外側面材２２との間にはガラリ２７が配設されており、後述する水平区画部３０の屋外換気口３２が連設されている。外側面材２２の上端及び下端とガラリ２７とはそれぞれ隙間無く接合されている。
外側面材２２の幅は、何ら限定されるものではないが、内側面材２１と同等の幅寸法で構成されており、左右に隣接する他の外側面材２２との間が隙間無く接続されている。
【００２９】
中空層２３は、内側面材２１と外側面材２２との間に形成された空間であり、内側面材２１及び外側面材２２により屋外１４及び室内１３からそれぞれ区画されている。
この中空層２３は、水平方向に延在して設けられた水平区画部３０により上下の空間に区画されている。本実施形態では、水平区画部３０が各階層の床スラブ１５に対向する位置に設けられており、上階１９Ａの中空層２３Ａ及び下階１９Ｂの中空層２３Ｂとは水平区画部３０により区画されている。
【００３０】
また、中空層２３には、上下方向に延在する縦材２４が水平方向に間隔を空けて複数設けられている。本実施形態の縦材２４はマリオンであり、中空層２３を区画するものではない。なお、縦材２４は中空層２３を互いに左右方向に区画するものであってもよい。
【００３１】
図４、図５に示すように、水平区画部３０には、屋外換気部３１が設けられている。何ら限定されるものではないが、本実施形態では互いに隣接する縦材２４間毎に、一の水平区画部３０が設けられ、そこに一の屋外換気部３１が設けられている。
各屋外換気部３１は、屋外１４に面するように配された屋外換気口３２と、中空層２３に面するように配された中空層換気口３３と、屋外換気口３２と中空層換気口３３とを連通する連通路３４と、をそれぞれ備えている。また、連通路３４には、該連通路３４を開閉する開閉機構３５を備えている。
【００３２】
本実施形態では、屋外換気部３１の形式が二種類あり、いずれかの屋外換気部３１が水平区画部３０に設けられている。
具体的には、図４に示すように、中空層換気口３３が水平区画部３０に対して上階側のみに形成された上階用水平区画部３０Ａと、図５に示すように、中空層換気口３３が水平区画部３０に対して下階側のみに形成された下階用水平区画部３０Ｂと、を備えている。
【００３３】
このような上階用水平区画部３０Ａと下階用水平区画部３０Ｂとは、同一階層において、数或いは屋外換気口３２の開口面積などが略均等となるように配されている。例えば図３のように、同一階層において、水平方向に隣り合う一対の縦材２４，２４の間に一つの水平区画部３０が設けられており、ここでは上階用水平区画部３０Ａと下階用水平区画部３０Ｂとが交互に配されている。つまり、ここでいう「略均等」とは、上階用水平区画部３０Ａと下階用水平区画部３０Ｂとが全て同じ大きさ（容積）で形成されている場合は、それぞれの設置数が略同じであることをいう。また、上階用水平区画部３０Ａと下階用水平区画部３０Ｂとの形状が異なる場合（あるいは、設置場所によって他とは形状を異ならせなければならない場合）における「略均等」とは、上階用水平区画部３０Ａの屋外換気口３２の開口面積の合計と、下階用水平区画部３０Ｂの屋外換気口３２の開口面積の合計とが、略同等であることをいう。
【００３４】
本実施形態では、さらに図２に示すように、一対の縦材２４，２４の間に、上下に間隔を空けて複数配された水平区画部３０には、互いに異なる形式の屋外換気部３１を有する上階用水平区画部３０Ａと下階用水平区画部３０Ｂとが上下方向に交互に配されている。
つまり、水平区画部３０（３０Ａ，３０Ｂ）により、中空層２３は図１の二点鎖線で示すように空間が区画されている。
【００３５】
図４に示すように、上階用水平区画部３０Ａでは、屋外換気部３１の屋外換気口３２は、屋外１４に面するように配されたガラリ２７に連設されている。中空層換気口３３は、上階の中空層２３に面するように上向きに配されている。連通路３４はガラリ２７側の屋外換気口３２と中空層２３側の中空層換気口３３とを連通する流路となっている。
この連通路３４には、連通路３４を開閉するための開閉機構３５が設けられている。開閉機構３５は弁体３６を動作させることで、屋外換気口３２と中空層換気口３３との間を開閉可能に構成されている。
【００３６】
図５に示すように、下階用水平区画部３０Ｂでは、屋外換気部３１の屋外換気口３２は、屋外１４に面するように配されたガラリ２７に連設されている。中空層換気口３３は、下階の中空層２３に面するように下向きに配されている。連通路３４はガラリ２７側の屋外換気口３２と中空層２３側の中空層換気口３３とを連通する流路となっている。連通路３４は、屋外換気口３２から上方に立上り、上端から水平方向に延設され、室内側の先端から下方に立下り、下階の中空層２３に開口するように構成されている。
この連通路３４には、連通路３４を開閉するための開閉機構３５が設けられている。開閉機構３５は弁体３６を動作させることで、屋外換気口３２と中空層換気口３３との間を開閉可能に構成されている。
【００３７】
上階用水平区画部３０Ａ及び下階用水平区画部３０Ｂの屋外換気部３１における開閉機構３５は、手動で開閉するものであっても、自動で開閉するものであってもよいが、本実施形態では、室内１３の空調設備の運転状況に応じて開閉駆動されるように構成されている。
さらに、開閉機構３５は、室内１３の空調設備が運転停止している場合、外気温度に応じて開閉するように構成されている。
【００３８】
空調設備は、室内１３の空気や外気を取り込み、熱交換して、室内１３に吹き出す図示しない空気調和機を備えるとともに、上下方向に隣り合う水平区画部３０に囲まれた中空層２３に、室内１３の空調空気を供給するための空調空気供給部２５を備えている。
【００３９】
空調空気供給部２５は、室内１３の空調空気を、例えば天井パネル１６に配設された換気口（排気口）から取り込み、換気ファン及びダクト２６等の圧送手段により圧送し、内側面材２１の上方に設けられた供給開口２８から中空層２３に供給するように構成されている。なお、ダクト２６にはダンパ（不図示）が設けられており、空気調和機の運転時（冷暖房時）にはダンパを開にし、停止時にはダンパを閉にするように構成されている。つまり、空気調和機の運転時には中空層２３に空調空気を供給し、停止時には中空層２３に室内１３の空気を中空層２３へ供給しないように構成されている。また、空気調和機を運転開始するとダクト２６に設けられた換気ファンも同時に運転開始し、中空層２３へ冷気や暖気を供給し、運転停止時は換気ファンを停止するとともに、ダンパを閉にするように構成されている。なお、前述したダンパや換気ファンは設置しなくてもよく、ダンパの開閉タイミングや換気ファンの運転タイミングは、適宜調整できるものである。
【００４０】
次に、このような構成を有する建物１０のダブルスキン構造１１の動作について説明する。
図６は暖房運転時の動作を説明する図、図７は冷房運転時の動作を説明する図、図８は夏期及び中間期における空調設備の運転停止時の動作を説明する図、図９は冬期の空調設備の運転停止時における動作を説明する図である。
【００４１】
まず冬期に空調設備が暖房運転しているときには、図６に示すように、室内１３には外気温度より高い暖房の空調空気が供給されている。この室内１３から空調空気供給部２５により例えば換気ファン（不図示）などを介して空調空気の一部がダクト２６から中空層２３へ供給可能とされている。
一方、中空層２３では、空調設備の運転状況が暖房運転のため、この運転状況に応じて上階用水平区画部３０Ａの開閉機構３５が開状態で、下階用水平区画部３０Ｂの開閉機構３５が閉状態となるように開閉駆動されている。そのため中空層２３では上階１９Ａ側が閉塞し、下階１９Ｂ側が屋外１４と連通路３４により連通している。
【００４２】
例えば、室内１３が所定温度に達した状態で、中空層２３に暖房運転の空調空気がダクト２６から供給されると、下階用水平区画部３０Ｂの開閉機構３５が閉状態としているため、空調空気が中空層２３の上部に徐々に溜まっていき、中空層２３で外気により冷やされた空気は、中空層２３の下方へ移動し、上階用水平区画部３０Ａの中空層換気口３３から連通路３４を通して屋外換気口３２へ移動し、ガラリ２７から屋外１４へ放出される。
これにより、中空層２３のビジョン部分あたりには暖かい空気が溜まっていき、中空層２３のビジョン部分を外気温よりも暖かく維持できる一方、外気により冷やされた空気はガラリ２７から屋外へ放出される。よって、室内１３と中空層２３との温度差を小さくすることができるため、内側面材２１を、例えばクリプトンガスを封入したLow-E複層ガラスなどの高断熱仕様にしなくても、中空層２３を温めることにより、室内１３の暖房効率を向上させることができる。もちろん、内側面材２１を高断熱仕様とすれば、さらに暖房効率は向上する。
【００４３】
これにより、室内１３の二酸化炭素濃度の増加を防止しつつ、中空層２３が暖房空気により外気温度よりも高い温度状態で維持され、室内１３（ペリメータ部分）の温度環境を好適に確保することができる。
【００４４】
次いで、夏期に空調設備が冷房運転しているときには、図７に示すように、室内１３には外気温度より低い冷房の空調空気が供給されている。この室内１３から例えば換気設備などを介して空調空気供給部２５により空調空気の一部がダクト２６から中空層２３上部である天井パネル１６の近傍付近の中空層２３へ供給されている。なお、空調空気供給部２５には例えばダンパ（不図示）が設けられており、空調空気の中空層２３への供給タイミングや供給量を調整できるようにしてもよい。
一方、中空層２３では、空調設備の運転状況が冷房運転のため、この運転状況に応じて上階用水平区画部３０Ａの開閉機構３５が閉状態で、下階用水平区画部３０Ｂの開閉機構３５が開状態となるように開閉駆動されている。そのため中空層２３では下階１９Ｂ側が閉塞し、上階１９Ａ側が屋外１４と連通路３４により連通している。
【００４５】
この状態で、中空層２３の上部に冷房運転の空調空気がダクト２６から供給されると、中空層２３内の暖められた空気は上方に移動して連通路３４を介して屋外換気口３２に排出され、上階用水平区画部３０Ａの開閉機構３５が閉状態であることから、ダクト２６から供給された冷気は中空層２３の下方に溜まっていく。そして、中空層２３内に溜まった冷気の上方には暖められた空気が溜まっていくが、下階用水平区画部３０Ｂの中空層換気口３３から連通路３４を通して屋外換気口３２へ移動し、ガラリ２７から屋外へ放出される。よって、中空層２３のビジョン部分には温度差換気により冷たい空気が集まるため、中空層２３と室内１３との温度差を小さくすることができ、冷房効率が高まる。
【００４６】
これにより、室内１３の二酸化炭素濃度の増加を防止しつつ、中空層２３が冷房空気により外気温度よりも低い温度状態で維持され、室内１３（ペリメータ部分）の温度環境を好適に確保することができる。
【００４７】
次いで、図８に示すように、夏期及び中間期に空調設備が運転停止しているとき（例えば、夜間など）には、室内１３には空調空気が供給されていない。また、空調空気供給部２５も停止していてダクト２６からは中空層２３へ空気は供給されていない。
一方、中空層２３では、空調設備の運転状況が停止状態のため、外気温度に応じて、上階用水平区画部３０Ａの開閉機構３５が開状態で、下階用水平区画部３０Ｂの開閉機構３５も開状態となるように開閉駆動される。そのため中空層２３では、下階１９Ｂ側と上階１９Ａ側とが共に屋外と連通路３４により連通している。なお、開閉機構３５の駆動については、外気温度に対して所定の閾値を設定し、該閾値以上の場合は、前記２つの開閉機構３５を共に開状態にするように設定すればよい。また、別の方法としては、外気温度と室内温度との温度差を測定し、該温度差に応じて開閉機構３５を駆動するように設定してもよい。
【００４８】
この状態では、上階用水平区画部３０Ａの屋外換気口３２から連通路３４を通して外気が流入して中空層２３に取り込まれ、中空層２３内の相対的に暖かい空気が上昇気流となって、中空層２３の上方へ移動し、下階用水平区画部３０Ｂの中空層換気口３３から連通路３４を通して屋外換気口３２へ流動し、ガラリ２７から屋外へ放出される。これにより、中空層２３に外気が流入し、中空層２３内の空気が動かされるため、中空層２３の温度上昇を抑制することができる。
【００４９】
次いで、図９に示すように、冬期に空調設備が運転停止時しているとき（例えば、夜間）には、室内１３には空調空気は供給されていない。また、空調空気供給部２５も停止していてダクト２６からは中空層２３へ空気は供給されていない。
一方、中空層２３では、空調設備の運転状況が停止状態のため、外気温度に応じて、上階用水平区画部３０Ａの開閉機構３５が閉状態で、下階用水平区画部３０Ｂの開閉機構３５も閉状態となるように開閉駆動されている。そのため中空層２３は、下階１９Ｂ側と上階１９Ａ側とが共に閉じた状態で屋外には連通していない。
【００５０】
この状態では、中空層２３内の空気が外側面材２２を介して外気と接するため、中空層２３内の温度が低下する虞があるが、一方で、中空層２３内の空気は、内側面材２１を介して室内の空気と接している。
これにより中空層２３の温度低下を抑制することができ、室内１３（ペリメータ部分）の温度低下を抑制することができる。
【００５１】
以上のような本実施形態の建物１０のダブルスキン構造１１によれば、内側面材２１と外側面材２２との間の中空層２３に室内１３の空調空気を供給する空調空気供給部２５を備え、中空層２３を区画する水平区画部３０に屋外換気口３２及び中空層換気口３３と、これらを連通する連通路３４及びその開閉機構３５とを備えている。
そのため、開閉機構３５により中空層２３と屋外１４とを連通して、空調空気供給部２５により室内１３の空調空気を中空層２３に供給すれば、中空層２３内を空調空気で満たすことができ、中空層２３内を空調空気の温度に応じた温度に保持することができる。
【００５２】
例えば暖房時には、屋外１４が室内１３より低温であるために中空層２３内の温度が低下し易いが、中空層２３に室内１３から暖房の空調空気を供給しつつ排気するため、中空層２３の温度が低下するのを抑制することができる。一方、冷房時には、屋外１４が室内１３より高温であるために温度が上昇し易いが、中空層２３に室内１３から冷房の空調空気を供給しつつ排気するため、中空層２３の温度が上昇するのを抑制することができる。
また、中空層２３において、暖房時には下方から屋外１４に排気するように構成し、冷房時には上方から屋外１４に排気するように構成しているため、室内外の空気を交換しつつ、中空層２３内を緩衝空間とすることができる。
これにより内側面材２１を介して互いに隣接する室内１３と中空層２３との温度差を小さくしたり無くしたりすることができ、室内１３（ペリメータ部分）の温度環境を好適に確保することができる。
【００５３】
換言すれば、日差しや外気温度などにより昇温したり降温したりする中空層２３内の空気を空調空気に置換できる。しかも中空層２３を上下で区画する水平区画部３０に屋外換気口３２及び中空層換気口３３が設けられているため、中空層２３内で昇温して上昇したり降温して下降したりして水平区画部３０付近に滞留した空気を、効率よく屋外１４に排出できる。
【００５４】
また、中空層２３内に供給された空調空気は、中空層換気口３３から連通路３４を通して屋外換気口３２から屋外１４に排出されるため、中空層２３内の温度調整後の空気を空調設備に循環して空調を行う必要がない。
しかも、ビル衛生管理法では、室内１３の二酸化炭素濃度を所定値以下に保つために空調空気の一部を屋外１４に排出する必要がある。そのため、排出しなければならない空調空気を空調空気供給部２５から中空層２３に供給して屋外１４に排出することで、中空層２３の温度を容易に効率よく調整できるとともに、排出する空調空気を効果的に利用することができる。
【００５５】
その結果、内側面材２１を介して互いに隣接する中空層２３と室内１３（ペリメータ部分）との間の温度差を小さくできる。これにより室内１３（ペリメータ部分）の環境を保つために、室内１３から屋外１４に排出される空調空気の熱エネルギーを有効に利用するとともに、内側面材２１を高断熱仕様にしなくても屋外１４からの熱の出入りを抑制することができ、効率よく室内温度を安定に保つことが可能となる。
【００５６】
本実施形態では上記構成を備えることにより、外側面材２２として単板ガラスやフロートガラスを用い、内側面材２１としてフロートガラス２枚からなる複層ガラスを用いているが、このような断熱性能の低い面材（ガラス）を用いていても、好適に室内環境を確保することができる。換言すれば、日差しや外気温度により内側面材２１および外側面材２２に対する耐熱性（断熱性）を向上させなくてもよい上、空調設備に対する負荷が増加するようなことはない。
【００５７】
したがって、本実施形態の建物のダブルスキン構造１１によれば、コストを抑制しつつ、効率よく室内温度を安定に保つことが容易である。また、内側面材２１および外側面材２２にフロートガラスを用いることができ、外観や室内側からの見栄えも向上させることができる。さらに、外側面材２２をビジョン部とスパンドレル部とに分けることなく配置させることができ、その点でも見栄えを向上させることができる。
換言すれば、夏季や冬季に外気の影響を受けやすい中空層２３を適温に維持することにより、室内１３を冷房／暖房するために空調装置に使用するエネルギーを省力化できるほか、外側面材２２や内側面材２１の断熱性もしくは耐熱性を高性能な建具としなくてもよい。
【００５８】
また、この実施形態のダブルスキン構造１１によれば、中空層換気口３３が上階のみに形成された上階用水平区画部３０Ａと、中空層換気口３３が下階のみに形成された下階用水平区画部３０Ｂと、が同一階層において略均等に配されている。そのため上階用水平区画部３０Ａと下階用水平区画部３０Ｂとを略均等に設けることで、中空層２３内で昇温して上昇した空気を中空層２３の上階１９Ａ側から排気する場合でも、中空層２３内で降温して下降した空気を下階１９Ｂ側から排気する場合でも、同等に排気できる。そのため暖房時でも冷房時でも空調設備を安定して運転することができる。
【００５９】
さらに、本実施形態のダブルスキン構造１１によれば、上階用水平区画部３０Ａおよび下階用水平区画部３０Ｂが同一階層において交互に配されているため、上階のみに形成された中空層換気口３３と下階のみに形成された中空層換気口３３とを中空層２３の上階側と下階側とに確実に略同等に設けることができる。
【００６０】
また、本実施形態のダブルスキン構造１１によれば、中空層２３が上下方向に複数区画されていても、上階用水平区画部３０Ａおよび下階用水平区画部３０Ｂが上下方向に交互に配されているため、上階側のみに形成された中空層換気口３３と下階側のみに形成された中空層換気口３３とを中空層２３の上階１９Ａ側と下階１９Ｂ側とに確実に略同等に設けることができる。これにより冷房時に上階１９Ａ側から排気する場合でも、暖房時に下階１９Ｂ側から排気する場合でも、同等に換気することができる。
【００６１】
さらに、本実施形態のダブルスキン構造１１によれば、上階用水平区画部３０Ａおよび下階用水平区画部３０Ｂの二種類の水平区画部３０を設定した。開閉機構３５は、一の水平区画部３０に一つだけ配置されているため、開閉機構３５を駆動させる制御を簡易にすることができるとともに、コストも抑制することができる。
【００６２】
そして、本実施形態のダブルスキン構造１１では、開閉機構３５が室内１３の空調設備の運転状況に応じて開閉するため、例えば冷房時には上階用水平区画部３０Ａの連通路３４を閉じ、下階用水平区画部３０Ｂの連通路３４を開けて、空調空気供給部２５から室内１３の空調空気を中空層２３に供給する。これにより、中空層２３に冷房で冷やされた空気が溜まる一方、日差しや外気温度により温度が上昇した中空層２３内の空気を上方から容易に屋外１４に排出でき、中空層２３と室内１３（ペリメータ部分）との間の温度差を小さくできる。
【００６３】
一方、暖房時には下階用水平区画部３０Ｂの連通路３４を閉じ、上階用水平区画部３０Ａの連通路３４を開けて、空調空気供給部２５から室内１３の空調空気を中空層２３に供給することができる。これにより、外気温度により冷却されて温度が降下した中空層２３内の空気を下方から容易に屋外１４に排出でき、中空層２３と室内１３（ペリメータ部分）との間の温度差を小さくできる。
したがって、暖房時でも冷房時でも、中空層２３と室内１３との間の温度差を容易に小さくできて室内温度を安定に保つことができる。
【００６４】
さらに、本実施形態のダブルスキン構造１１では、室内１３の空調設備が運転停止している場合には、開閉機構３５が外気温度に応じて開閉するため、外気温度が高いときには例えば上階用水平区画部３０Ａの連通路３４及び下階用水平区画部３０Ｂの連通路３４を開くように設定できる。これにより、外気温度により温度が上昇した中空層２３内の空気を中空層２３の上方から屋外１４に排出でき、室内１３（ペリメータ部分）の温度上昇を抑制することができる。
【００６５】
一方、外気温度が低いときには、例えば上階用水平区画部３０Ａの連通路３４及び下階用水平区画部３０Ｂの連通路３４を閉じるように設定できる。これにより、外気が中空層２３内に直接浸入するのを抑制することができ、中空層２３内の温度降下を抑制することができる。その結果、室内１３（ペリメータ部分）の温度低下を抑制することができる。
したがって、外気温度が高いときでも低いときでも、中空層２３と室内１３との間の温度差を少しでも小さくして、室内環境を好適に確保することができる。
【００６６】
以上、本発明による建物１０のダブルスキン構造１１の一実施形態について説明したが、本発明は上記の実施の形態に限定されるものではなく、その趣旨を逸脱しない範囲で適宜変更可能である。
例えば、上記実施形態では、水平区画部３０の屋外換気部３１として、中空層換気口３３が上向きに開口した上階用水平区画部３０Ａの例と、中空層換気口３３が下向きに開口した下階用水平区画部３０Ｂの例と、について説明したが、特に限定されるものではない。例えば水平区画部３０の屋外換気部３１として、中空層換気口３３が上向きと下向きとの２方向に開口し、開閉機構により連通路３４が何れか一方と連通するか閉塞するように開閉駆動されるように構成してもよい。
【００６７】
また、上記実施形態では、上階用水平区画部３０Ａと下階用水平区画部３０Ｂとが同一階層において図２のように１つずつ交互に配した例について説明したが、特に限定されるものではない。例えば複数の上階用水平区画部３０Ａと複数の下階用水平区画部３０Ｂとを（例えば、２つずつ）交互に配してもよく、上階用水平区画部３０Ａと下階用水平区画部３０Ｂとをランダムに配して総数を略均等にすることも可能である。
【００６８】
さらに、上記実施形態では、一対の縦材２４の間に上下に間隔を空けて複数配された水平区画部３０として、上階用水平区画部３０Ａと下階用水平区画部３０Ｂとが上下方向に交互に配されている例について説明したが、上階用水平区画部３０Ａ又は下階用水平区画部３０Ｂの一方を上下方向に同じものを並べて配することも可能である。その場合、水平方向の近傍位置に上階用水平区画部３０Ａ又は下階用水平区画部３０Ｂの他方を配置することで略均等に配することができる。
【００６９】
そして、上記実施形態では、ノックダウン式のカーテンウォールで上階用水平区画部３０Ａと下階用水平区画部３０Ｂを躯体に取り付ける場合で説明したが、ユニットカーテンウォールの場合であってもよい。また、中空層２３に温度センサがあり、中空層２３内の温度や室内外との温度差などに基づいて空調設備の空気を導入するようにしてもよい。なお、冬季に中空層２３に乾燥した暖気を送ることができるため、外側面材２２の内表面で結露することを抑止できる。
【符号の説明】
【００７０】
１０…建物
１１…ダブルスキン構造
１３…室内
１４…屋外
１９Ａ…上階
１９Ｂ…下階
２１…内側面材
２２…外側面材
２３…中空層
２４…縦材
２５…空調空気供給部
３０…水平区画部
３０Ａ…上階用水平区画部
３０Ｂ…下階用水平区画部
３１…屋外換気部
３２…屋外換気口
３３…中空層換気口
３４…連通路
３５…開閉機構
【図１】
2019049119.tif 000003
【図２】
2019049119.tif 000004
【図３】
2019049119.tif 000005
【図４】
2019049119.tif 000006
【図５】
2019049119.tif 000007
【図６】
2019049119.tif 000008
【図７】
2019049119.tif 000009
【図８】
2019049119.tif 000010
【図９】
2019049119.tif 000011